(57)【要約】【課題】管楽器のリードの切断を容易にするリード切断装置を提供する。【解決手段】リード切断装置（１）では、リード（５）の本体がベッド（３）により保持され、リード（５）の端部が固定ダイ（４５）とパンチ（４７）とを有するダイ・パンチ切断装置（９）により切断可能である。リード切断装置（１）は、リード（５）を切断装置（９）の中心に位置決めするためのセンタリング装置（１１）を有し、当該センタリング装置（１１）は、リード（５）を長手方向に移動させる手段（１９、３５）と、ベッド（３）上におけるリード（５）の端部（７）の横方向位置を調整する手段（１９、３３）とを有している。また、ダイ・パンチ切断装置（９）は、ベッド（３）に取り付けられた固定ダイ（４５）に対して移動可能に取り付けられたパンチ（４７）を有しており、このパンチ（４７）は、プランジャ（１３）に取り付けられ、リード（５）の平面又はベッド（３）の平面に略直交する方向にスライド可能である。【選択図】図１
2009251610.tif 000002
【特許請求の範囲】
【請求項１】
管楽器のリードを切断するためのリード切断装置であって、
前記リードの本体がベッドにより保持され、前記リードの端部が、ダイとパンチとを有するダイ・パンチ切断装置により適切な外形に切断可能であり、
前記リードを前記ダイ・パンチ切断装置に対して中心に位置決めするためのセンタリング装置を有し、
前記センタリング装置は、前記リードを長手方向に移動させる手段と、前記ベッド上における前記リードの端部の横方向位置を調整する手段とを有し、
前記ダイ・パンチ切断装置は、前記ベッドに取り付けられた固定ダイに対して移動可能に取り付けられたパンチを有し、前記パンチは、プランジャに取り付けられ、前記リードの平面又は前記ベッドの平面に対して略直交する方向にスライド可能である
ことを特徴とするリード切断装置。
【請求項２】
前記ベッド上における前記リードの長手方向への移動調整は、前記リードを長手方向に移動させる前記手段に回転可能に取り付けられたホイールによって行われることを特徴とする請求項１に記載のリード切断装置。
【請求項３】
前記ホイールが、使用者が前記リードの強さを所望のレベルに調整できるようにするためのインデックスマーカーを有することを特徴とする請求項２に記載のリード切断装置。
【請求項４】
前記リードの端部の横方向の位置が、前記リードの端部の横方向位置を調整する前記手段に回転可能に設けられた第２のホイールによって調整されることを特徴とする請求項１から３までのいずれか１項に記載のリード切断装置。
【請求項５】
前記第２のホイールが、前記リードの端部の横方向位置を切断前に精密調整するためのインデックスマーカーを有することを特徴とする請求項４に記載のリード切断装置。
【請求項６】
前記リードを長手方向に移動調整するための前記ホイールと、前記リードの端部の横方向位置を調整するための前記ホイールとが、同じ可動バーに取り付けられており、
前記可動バーの一方の側部が、前記リードの本体に少なくとも２点で横方向に当接し、その１点は前記リードの傾斜端部に近い点で、もう１点は前記リードの基部に近い点であり、
前記可動バーは、さらに前記リードの基部の下側の３番目の点において前記リードに当接すること
を特徴とする請求項２から５までのいずれか１項に記載のリード切断装置。
【請求項７】
前記可動バーの移動を前記各ホイールによって制御し、
前記可動バーの前記リードの本体に対する横方向の移動を、主として前記リードの傾斜端部に近い点を介して制御し、長手方向の移動を、主として前記リードの基部の下側の点を介して制御することを特徴とする請求項６に記載のリード切断装置。
【請求項８】
前記各ホイールは、それぞれの軸が前記可動バーを貫通して前記ベッドに連結され、
前記各ホイールは、それぞれ、前記可動バーを前記リードの長手方向軸及び横方向軸に沿って移動させるための、前記可動バーの対応する穴に当接して回転可能な偏心部分を有することを特徴とする請求項２から７までのいずれか１項に記載のリード切断装置。
【請求項９】
前記リードを長手方向に移動させる前記手段が、前記リードに押し当てられた少なくとも一つの回転可能な偏心ホイールを有することを特徴とする請求項１に記載のリード切断装置。
【請求項１０】
前記リードの端部の横方向位置を調整する前記手段は、互いに離間した２つのホイールを有し、当該２つのホイールが、回転可能に且つ偏心して取り付けられ、さらに前記リードの側部に押し当てられていることを特徴とする請求項１から９までのいずれか１項に記載のリード切断装置。
【請求項１１】
前記パンチが、前記ベッドの表面に直交する２つの柱に沿ってスライドし、ばね手段によるプランジャの引き上げにより非使用位置に復帰することを特徴とする請求項１から１０までのいずれか１項に記載のリード切断装置。
【請求項１２】
前記ベッドは、透明材料で形成されていることを特徴とする請求項１から１１までのいずれか１項に記載のリード切断装置。
【請求項１３】
前記パンチは、使用位置に向けて下方に移動可能で、非使用位置に向けて上方に移動可能なばねブリッジに取り付けられていることを特徴とする請求項１から１２までのいずれか１項に記載のリード切断装置。
【請求項１４】
前記プランジャは、作動ハンドルを備えたばねブリッジであり、前記作動ハンドルの押圧により動作し、押圧の解除により非使用位置に戻る下部パンチを有することを特徴とする請求項１から１３までのいずれか１項に記載のリード切断装置。
【発明の詳細な説明】
【技術分野】
【０００１】
本発明は、管楽器のリードを切断するためのリード切断装置に関する。
【背景技術】
【０００２】
演奏者は、管楽器の音楽的な性能を維持し、また改善するため、管楽器のリードを切断することが多い（例えば、特許文献１参照）。
【先行技術文献】
【特許文献】
【０００３】
【特許文献１】米国特許公報第４，２３１，４０４号
【発明の概要】
【発明が解決しようとする課題】
【０００４】
本発明は、管楽器のリードの切断を容易にするリード切断装置を提供することを目的とする。
【課題を解決するための手段】
【０００５】
本発明は、管楽器のリードを切断するためのリード切断装置を提供する。このリード切断装置では、リードの本体がベッドにより保持され、リードの端部がダイとパンチとを有するダイ・パンチ切断装置により適切な外形に切断可能である。リード切断装置は、リードをダイ・パンチ切断装置に対して中心に位置決めするためのセンタリング装置を有し、このセンタリング装置は、リードを長手方向に移動させる手段と、ベッド上におけるリードの端部の横方向位置（transverse  position）を調整する手段とを有している。また、ダイ・パンチ切断装置は、ベッドに取り付けられた固定ダイに対して移動可能に取り付けられたパンチを有している。このパンチは、プランジャに取り付けられ、リードの平面又はベッドの平面に対して略直交する方向にスライド可能である。
【０００６】
このように構成されているため、本発明のリード切断装置によれば、リードを長手方向及び横方向の両方において位置決めすることができ、使用者が指でプランジャを操作することによるリードの端部の切断が容易になる。
【０００７】
ベッド上でのリードの長手方向の移動調整は、リードを長手方向に移動させる上記手段に回転可能に取り付けられたホイールによって行うようにしてもよい。このホイールは、インデックスマーカーを有し、このインデックスマーカーにより演奏者はリードの強さを所望のレベルに調整することができる。言い換えると、リードの傾斜端部（beveled  end）の厚さを変えることができる。
【０００８】
上記のリードを長手方向に移動させる手段は、リードの端部に押し当てられた回転可能な少なくとも一つの偏心ホイールを備えていてもよい。
【０００９】
同様に、リードの端部の横方向位置の調整は、リードの端部の横方向位置を調整する上記手段に回転可能に取り付けられた少なくとも一つの第２のホイールによって行うようにしてもよい。この第２のホイールは、切断前にリードの端部の横方向位置を精密調整するためのインデックスマーカーを有していてもよい。
【００１０】
リードの端部の横方向位置を調整する上記手段は、互いに離間して設けられた２つのホイールを備えていてもよい。これら２つのホイールは回転可能に且つ偏心して取り付けられており、リードの側部に押圧されている。
【００１１】
リードを長手方向に移動させるための上記ホイールと、リードの横方向位置を調整するための上記ホイールとは、同じ可動バーに取り付けることが有利である。この場合、可動バーは、その側部が、少なくとも２点においてリードの本体に横方向に押し当てられており、１点は、リードの傾斜端部に近く、もう１点はリードの基部に近い。また、可動バーは、リードの基部の下側の３番目の点で、リードの本体に押し当てられていることが有利である。
【００１２】
この可動バーの移動を上記各ホイールによって制御してもよい。この場合、可動バーのリード本体に対する横方向の移動を、主としてリードの傾斜端部に近い点を介して制御し、長手方向の移動を、主としてリードの基部の下側の点を介して制御してもよい。
【００１３】
上記各ホイールは、それぞれの軸が可動バーを貫通し、ベッドに連結されるように取り付けてもよい。また、上記各ホイールは、可動バーをリードの長手方向軸及び横方向軸に沿って移動させるため、可動バーの対応する穴に当接しながら回転可能な偏心部分を有していてもよい。
【００１４】
上記パンチは、ベッドの平面に直交する２つの柱に沿ってスライド可能に構成することができ、ばね手段によってプランジャが引き上げられることにより非使用位置に復帰するようにしてもよい。
【００１５】
上記パンチは、使用位置まで下降させることができ、非使用位置まで上昇させる（復帰させる）ことができるばねブリッジ（spring  bridge）に取り付けてもよい。
【００１６】
上記ベッドの一部（又は全部）は、リードの端部が見えるよう、透明にしてもよい。例えば、上記ベッドは、プレクシグラス（ＰＬＥＸＩＧＬＡＳ：登録商標）などの透明材料で形成することができる。このようにすれば、ベッドを介してリードの端部を視認することができるため、リードの端部の切断における調整を確認し、修正することができる。
【発明の効果】
【００１７】
本発明のリード切断装置によれば、リードを長手方向及び横方向の両方において位置決めすることができ、使用者が指でプランジャを操作することによるリードの端部の切断が容易になる。
【図面の簡単な説明】
【００１８】
【図１】本発明の一実施の形態によるリード切断装置を示す斜視図である。
【図２】図１に示したリード切断装置を示す分解斜視図である。
【図３】図１に示したリード切断装置を示す底面図である。
【図４】本発明の一実施の形態によるリード切断装置の変形例を示す概略斜視図である。
【発明を実施するための形態】
【００１９】
本発明の実施の形態を、添付図面を参照して説明する。
【００２０】
図面、特に、図１及び図２に示すように、本発明の一実施の形態におけるリード切断装置１は、傾斜端部７（beveled  end）が切断されるリード５を支持可能なベッド部３と、傾斜端部７を切断するためのダイ・パンチアセンブリ（ダイ・パンチ切断装置）９と、リード５をダイ・パンチアセンブリ９に対して中心に位置決めするセンタリング装置１１と、リード５を切断するための作動プランジャ１３とを備えている。
【００２１】
ベッド部３は、光透過性を有する材料であるプレクシグラス（ＰＬＥＸＩＧＬＡＳ：登録商標）で略矩形状の板状に形成されたものであり、その中央の縦長の位置１５で、切断されるリード５を支持する。この板状部材（ベッド部３）は、サイズが小さく、人の手で把持するのに適していることが好ましい。
【００２２】
リード５は、その傾斜端部７が、ダイ・パンチアセンブリ９及び作動プランジャ１３に隣接するように、さらに、リード５の一方の側部がセンタリング装置１１に隣接するように、ベッド部３の平坦な上面１７上に置かれる。
【００２３】
センタリング装置１１は、ベッド部３の端縁に沿ったＬ字形状の金属製のバー１９を有している。Ｌ字形状のバー１９は、ベッド部３の長辺に沿うと共にリード５に隣接する長アーム２１と、ベッド部３の基部（base）２５の長さの大部分（１／２を少し上回る）を占める短アーム２３とを有している。リード５は、このバー１９から突出する丸みを付けられた３つのベアリング部に当接するように置かれる。この３つのベアリング部は、リード５の傾斜端部７に近い接触点２７と、リード５の基部（base）２５に近い２つの点（すなわち、リード５の側方の接触点２９及びリード５の下側の接触点３１）をなしている。
【００２４】
このバー１９は可動であり、バー１９の移動は、使用者の指により操作される２つの外部回転ホイールによって制御される。リード５の長手方向軸に直交する方向の移動は、Ｌ字の長アーム２１の端部、すなわちリード５の傾斜端部７に近い端部に設けられた小さい方のホイール３３で制御される。もう一つのホイール３５（ホイール３３より僅かに大きい）は、リード５の基部に近い、Ｌ字のアーム２１，２３のアングル部分に設けられている。これらのホイール３３，３５は、それぞれインデックスマーカー３３ａ，３５ａを有している。ホイール３３，３５を回転させることで、リード５の端部７の切断長さ（length  of  cut）を所望の長さに調整することができ、また、例えば、リードを切断する所望の強さ（例えば半分の強さ）を設定することができる。
【００２５】
ホイール３３，３５は、それぞれベッド部３に設けられた回動可能なピンに取り付けられている。また、ホイール３３，３５は、バー１９（図２、図３）を貫通する穴（ボア）３７，３９の中に、偏心カム３３ｂ，３５ｂを有している。小さい方のホイール３３に対応するバー１９の穴３７は、リード５の長手方向軸（中心軸）と平行な方向に長く、これによりバー１９がリード５の長手方向軸に平行な方向に変位可能となる。一方、バー１９のコーナーに位置するホイール３５に対応するバー１９の穴３９は、リード５の長手方向軸に直交する横方向に延在しており、これによりバー１９がリード５の長手方向軸に直交する方向に変位可能となる。
【００２６】
ベッド部３のリード５の基部に近い部分には、ロッド４１が設けられている。このロッド４１は、バー１９の長手方向軸の方向に長い貫通穴４３に係合し、バー１９の長手方向軸に沿った案内を補助する。
【００２７】
ダイ・パンチアセンブリ９は、リード５が載置される平面の直下に、リード５の傾斜端部７に沿うように配置された固定ダイ４５（図３ではベッド部３を介して見ることができる）と、可動パンチ４７とを有している。可動パンチ４７は、その丸みが付けられた切断線４９が、リード５の長手方向軸に直交する面において、固定ダイ４５の補助切断線（complementary  cutting  line）５１上に位置するように取り付けられている。
【００２８】
可動パンチ４７は、ベッド部３の端部においてベッド部３に対してスライドする。可動パンチ４７は、ベッド部３の平面に対して直交する２つの柱５３により作動プランジャ１３に連結されている。柱５３は、ベッド部３にその厚さの範囲内で嵌め込まれたリング５５に公差を許容しつつ係合し、このリング５５内でスライドする。
【００２９】
作動プランジャ１３は、小さい矩形の天板であり、使用者はその上に指を置くことができる。作動プランジャ１３の長手方向の両端部に、上述した可動パンチ４７をスライドさせる２つの柱５３がそれぞれ設けられている。
【００３０】
この作動プランジャ１３は、この作動プランジャ１３（プランジャプレート）に取り付けられると共にベッド部３の対応する凹部に載置された中央コイルばね５７により最上位置に復帰する。
【００３１】
リード切断装置の動作は、上記の説明から明らかであろう。
【００３２】
使用者は、リード切断装置１により切断すべきリード５を、バー１９にぴったり当て付けるようにしてリード切断装置１の位置１５に置く。
【００３３】
そのため、リード５は、バー１９の丸みを付けられた３つの接触点２７，２９，３１に当て付けられる。具体的には、リード５は、２つの接触点２７，２９に横方向に接触し、基部において接触点３１に接触している。ここで、使用者は、リードを所望の方法で切断するため、調整ホイール３３，３５を回転させる。リード切断装置１をひっくり返すことにより、切断されようとしているリード５の端部を透明なベッド部３を介して視認し、調整を確認することができる。調整を修正すると、使用者は、作動プランジャ１３を押し下げることにより、リード５を切断する。リード５のくずや切断された端部は、ベッド部３の下方に落下する。切断が完了すると、切断済みのリード５を、リード切断装置１の位置１５から手で取り外す。
【００３４】
図４は、本発明の実施の形態に係るリード切断装置の変形例を示す。
【００３５】
変形例におけるリード切断装置１’では、バー１９の代わりに、３つの回転偏心ホイール３３’，３４，３５’を有している。これら３つの回転偏心ホイールのうち、２つの回転偏心ホイール３３’，３４は、リード５’の横方向の調整のためにリード５’の一方の側部に当接し、残る１つの回転偏心ホイール３５’は、リード５’の長手方向の移動のためにリード５’の端部に当接する。これらの回転偏心ホイール３３’，３４，３５’は、所望の設定に回転される。
【００３６】
作動プランジャ１３の代わりに、ハンドル１４を備えたばねブリッジ１３’が用いられる。ばねブリッジ１３’は、ハンドル１４が押圧されることにより動作し、押圧が解除されると非使用位置に戻る下側パンチ４７’を有している。パンチの案内柱５３’を取り除いた構成も可能である。
【００３７】
このように、本発明によれば、調整及び操作が簡単なリード切断装置が提供される。
【符号の説明】
【００３８】
１  リード切断装置、  ３  ベッド部、  ５  リード、  ７  傾斜端部、  ９  ダイ・パンチアセンブリ、  １１  センタリング装置、  １３  作動プランジャ、  １９  バー、  ２１  長アーム、  ２３  短アーム、  ２７，２９，３１  接触点、  ３３，３５  ホイール、  ４１  ロッド、  ４５  固定ダイ、  ４７  パンチ、  ５３  柱。
【図１】
2009251610.tif 000003
【図２】
2009251610.tif 000004
【図３】
2009251610.tif 000005
【図４】
2009251610.tif 000006